(57)【要約】  本発明は、互換性のあるディスク状記憶媒体を、記憶媒体用のホルダーを有するディスクドライブとその後者用の光学式スキャンニングデバイスとが配置されたハウジングに、ローディングするためのローディング機構に関する。それは、ディスクドライブのモーターおよび記憶媒体に留意して、スペースを節約し、そして、ローディングおよびアンローディングを許容する、ローディング機構を提供するという目的を成し遂げる。この目的のため、このローディング機構は、装着位置とホルダー（１２）上の設置位置との間で回転され得る記憶媒体（４）用のローディングテーブル（７）と、そして前記ローディングテーブル（７）用の作動器具（１０／２）とから形成される。
2008541322.tif 000002
【特許請求の範囲】
【請求項１】
互換性のあるディスク状記憶媒体（４）を、記憶媒体（４）用のホルダー（１２）を有するディスクドライブとその後者用のスキャンニングデバイス（５）とが配置されたハウジング（１）にローディングするためのローディング機構であって、
該ローディング機構は、装着位置と前記ホルダー（１２）上の設置位置との間で回転され得る、前記記憶媒体（４）用のローディングテーブル（７）と、そして該ローディングテーブル（７）用の作動器具（１０／２）とから形成されることを特徴とするローディング機構。
【請求項２】
前記ローディングテーブル（７、１６）は、片側において取り付けられ、そして前記装着位置の方向にバネ力によって負荷をかけられ、
前記作動器具（１０／２）によって前記装着位置から前記設置位置へ回転され、
前記作動器具（１０／２）の反対の動きの間、前記バネ力によって前記設置位置から前記装着位置へ回転されることを特徴とする請求項１に記載のローディング機構。
【請求項３】
前記ローディングテーブル（７、１６）は、前記ホルダー（１２）の辺りにカットアウト（１１）を有し、前記記憶媒体（４）についてのスキャンニングデバイス（５）のスキャンニング領域において少なくとも省かれていることを特徴とする請求項１または２に記載のローディング機構。
【請求項４】
前記作動器具は、前記ローディングテーブル（７、１６）に配置されたカム（１０）と、該カムとの係合状態へ至らされ得、そして前記ハウジング（１）に配置されているスライディング要素（２）とによって形成され、
前記カム（１０）は、前記ローディングテーブル（７、１６）の側縁部に、前記後者の取付側に隣接して、配置されていることを特徴とする請求項１から３のいずれかに記載のローディング機構。
【請求項５】
前記スライディング要素は、前記ハウジング（１）に配置されたスライディングカバー（２）であることを特徴とする請求項４に記載のローディング機構。
【請求項６】
前記ローディングテーブル（７、１６）は、前記ハウジング（１）の一端部において、かつ、前記ローディングテーブル（７、１６）のその他の端部において支持される少なくとも１つのバネ要素（９）が配置された、ベアリングシャフト（８）に取り付けられ、それは前記装着位置の方向に前記後者に負荷をかけることを特徴とする請求項１から５のいずれかに記載のローディング機構。
【請求項７】
前記ホルダーは、前記ディスクドライブのモーター（３）のローターの永久磁石の磁場の領域に設置され、そして、前記記憶媒体（４）用の心出し主軸（１４）を備えられていることを特徴とする請求項１から６のいずれかに記載のローディング機構。
【請求項８】
前記ローディングテーブル（７、１６）の回転角は、実質的には３°から１０°であることを特徴とする請求項１から７のいずれかに記載のローディング機構。
【請求項９】
これは規格化されたハウジング（１）に用いられることを特徴とする請求項１から８のいずれかに記載のローディング機構。
【請求項１０】
請求項１から９のいずれかに記載のローディング機構を用いることを特徴とする、記憶媒体を読むおよび／または書くためのデバイス。
【発明の詳細な説明】
【技術分野】
【０００１】
本発明は、互換性のあるディスク状記憶媒体を、ハウジング、例えばＰＣＭＣＩＡサイズのハウジングに配置されたディスクドライブ上にローディングするためのローディング機構、特に、ほぼ３０ｍｍの直径を有するおおよそコインサイズのディスク（コインディスク）をローディングするためのローディング機構に関する。
【０００２】
このタイプのローディング機構は、ディスク状記憶媒体、例えば光学式記憶媒体を、ハウジングに配置されたディスクドライブにおける所定位置へ機械的方法で動かすために用いられる。この目的のために、特許文献１は、カートリッジにおいてトレイ上に配置される記憶媒体のためのローディング機構を開示する。それをディスクドライブ上に動かすために、その記憶媒体を有するトレイは、所定の位置決めされたカートリッジから、ディスクドライブの上方にまで引かれ、そして降ろされる。この場合、記憶媒体は、ディスクドライブ上の支持体上の所定位置に置かれる。このローディング機構は、大きなスペースをとる。コインサイズのディスクの場合、この問題は、相対的に小さなディスクのモーターがまた相対的に小さなシャフトベアリングを有するという問題をさらに有し、これは、例えば１２０ｍｍの直径を有する、より大きな記憶媒体のためのディスクドライブに使われるディスクドライブのモーターに比べてこれらが頑丈でないが、ディスクドライブからの記憶媒体の突然の引き離しによってかなりの負荷をかけられる、ということを意味する。
【０００３】
本発明の目的は、ディスクドライブのモーターおよび記憶媒体に留意して、スペースを節約し、そして、ローディングおよびアンローディングを許容する、請求項１において先に特徴付けられた節に従って、互換性のあるディスク状記憶媒体を、ハウジングへローディングするためのローディング機構を提供することにある。
【０００４】
この目的は、請求項１の特徴によって成し遂げられる。有利な改良点は、下位クレームにおいて指摘されている。
【０００５】
本発明は、内部に、記憶媒体用のホルダーを有するディスクドライブとその後者用のスキャンニングデバイスとが配置されたハウジング用のローディング機構であって、ホルダーから離れた装着位置とホルダー上の設置位置との間で回転され得るローディングテーブルを有し、そして作動器具を備えられたローディング機構に存する。この場合、ローディングテーブルは、好ましくは片側において取り付けられ、装着位置の方向にバネ力によって負荷をかけられる。作動器具はローディングテーブルに作用し、設置位置へ後者を押し、そして、この位置にそれを保持する。作動器具の反対の動きによって、バネ力がかけられたローディングテーブルは、その下に押された設置位置から解放され、負荷をかけるバネ手段によって装着位置へ回転される。ローディングテーブルは、スキャンニングデバイスによって予め定められたスキャンニング領域に関して少なくとも省かれている。
【０００６】
このローディング機構は、小さなディスクドライブの場合、特に有利であり、それにおいて、記憶媒体を有するローディングテーブルは、ホルダーの外側の回転軸周りのピボット運動によって極めて減衰されるようにバネ力に対抗して下げられて、そして後者上に保持されるので、取り付けおよび取り外しの間、弱く、定められた力が作用する必要があるだけである。それが下げられるとき、記憶媒体は、ホルダー上に配置された心出しユニット、好ましくは心出し主軸として形成されたディスクドライブのモーターの延長された回転軸として設計された心出しユニットによって精確に位置決めされる。ローディング機構は、シンプルであり全く複雑でなく、そして、たった少しの全スペースを必要とする。ローディングテーブルの回転角は、実質的に３°から１０°である。
【０００７】
ホルダー上への記憶媒体の保持は、止め手段によって機械的にあるいは好ましくは磁気的に行われ得る。記憶媒体の磁気的な保持は、記憶媒体へ組み合わされ、そしてディスクドライブのモーターの永久磁石ローターによって引き付けられる磁気的に有効な材料によって直接的に、あるいは、一方のパーツがディスクドライブのモーターのローターにしっかりと接続される、２つの磁気的に引き付けあうパーツ間での留め作用として、のいずれかで行われる。好ましい実施形態において、磁気的な保持は、記憶媒体がディスクドライブのモーターのローターの永久磁石の磁場によって引き付けられることによって行われる。ローディングおよびアンローディングの間、記憶媒体は、ホルダー上に下げられ、またローディングテーブルによってホルダーから上げられる。ローディングテーブルはホルダーから離れた軸周りに回転されるので、記憶媒体は、平面平行の様式でホルダー上に下げられたり、ホルダーから離されたりすることはないが、その引力に関して、連続的な増加や減少のそれぞれと結び付けられるわずかな傾きによって、磁場へ徐々に下げられ、また磁場から解放される。結果として、軸方向に作用する力は最小限にされ、ディスクドライブのモーターは、たった最小程度だけ負荷をかけられる。
【０００８】
作動器具は、ローディングテーブルに、好ましくは取付側に隣接した側縁部の一方に配置された、一例としてランプとして設計されたカムと、そして、それとの係合状態へ至らされ得そしてハウジングに配置されたスライディング要素とによって形成される。スライディング要素はカムに対して押され、そのカムは、ローディングテーブルと共に、その過程で、前記ローディングテーブルに作用するバネ手段の力に対抗して、設置位置にまでホルダーに向けて押される。スライディング要素は、ハウジングを閉じるスライディングカバーによって好ましくは形成される。この場合、ローディングテーブルの別個の固定は、それがスライディングカバーを持っているカムによってバネ要素に対抗して設置位置に保持されるので、提供されることを必要とはされない。
【０００９】
さらなる利点は、特にモバイルアプリケーションに対してあり、第１に、手動で機械的な作動が提供されるので、ローディング機構用のモータードライブの省略にある。バッテリーあるいは再充電可能なバッテリーで動作するモバイルアプリケーションの場合、エネルギー必要量が可能な限り低減されることが必要である。第２に、既知のフラップ・カバー・ソリューションと比べて、スライディングカバーは、ハウジングに平行に動かされ、そしてハウジング周りの突出構成部材から生じるローディング操作の間の空間必要量は最小限にされるので、記憶媒体のローディング操作は、最小の可能なスペースで実行される。
【００１０】
ローディングテーブルは、ハウジングの一端部において、かつ、ローディングテーブルの別の端部において支持され、装着位置の方向に後者に作用する、少なくとも１つのらせん状トーションバネが配置された、ベアリングシャフトに対して、ヒンジのように取り付けられ得る。ベアリングシャフトから離れた方を向いた側部において、そのサイズに応じて、ローディングテーブルは、記憶媒体がホルダーに載せられ得るように、ディスクドライブのホルダーの領域にカットアウトを与えられ得る。
【００１１】
記憶媒体が、装着位置に位置付けられたローディングテーブルが実質的に垂直位置にあるときでさえ、装着され得るように、さらなる実施形態では、前記ローディングテーブルは、その取り付けられた側縁部、および、後者に隣接した２つの側縁部に、記憶媒体用の鉤状保持要素が備えて設けられ、それらは、そういうものの１つが挿入されたとき、その縁部に覆いかぶさって係合する。しかして、記憶媒体は、これら保持要素の内側に押し進められ、それらによって保持され得る。
【００１２】
本発明は、２つの典型的な実施形態を用いることによって以下に説明されるだろう。この場合、言及は、光学式記憶媒体に対してなされる。もちろん、本発明は、他の記憶媒体、例えば磁気記憶媒体に対しても用いられ得る。
【００１３】
【特許文献１】特開平０９−３０６０７８号公報
【発明を実施するための最良の形態】
【００１４】
図１および２は、閉じられた状態での、および、開かれた状態でのＰＣＭＣＩＡハウジングを示す。ＰＣＭＣＩＡハウジングは、例えばノートブックにおいて普通であるような、ＰＣＭＣＩＡインターフェースに用いられ得るハウジングを意味するように理解されるべきである。なお、他のハウジングサイズはもちろん可能であり、例えばマイクロドライブ（Microdrive）、コンパクト・フラッシュ（Compact Flash）あるいは他のフォーマットでのハウジングがある。図１および２に示されているＰＣＭＣＩＡハウジング１は、スライディングカバー２と、その内側に、記憶媒体４のためのモーター（図５、６の３）を備えたディスクドライブと、そしてまた光学式スキャンニングデバイス（ピックアップ）５とを有し、それは駆動ウォーム６に動作可能なように接続され、そしてそれはその駆動ウォーム６に平行に径方向に光学的に記憶媒体４をスキャンする。さらに、ローディング機構は、また、リード／ライトヘッドシステムの他の設計改良型、例えば、ハードドライブテクノロジーから知られているスインギング・アームに取り付けられたリード／ライトヘッドと連動して使用され得る。記憶媒体４は、ローディングテーブル７に載り、それは片側に関してベアリングシャフト８に接して置かれて取り付けられ、後者周りに回転され得、そしてらせん状トーションバネ９あるいは他のバネ要素によるバネ力で図示の装着位置の方向に作用され、バネ９は、ハウジング１の一端において、そしてローディングテーブル７の別の端部において支持される。この装着位置から、設置位置へ、ローディングテーブル７は、３°〜１０°だけハウジングの中へ押され得る。
【００１５】
このために、ローディング機構は、ローディングテーブル７の縁部にしっかりと配置されてかつローディングテーブル７から離れた方へ向く側部に形成されたスライディング面を有するカム１０を有し、それはローディングテーブル７の方向に盛り上がり、そしてスライディングカバー２はベアリングシャフト８に平行なそれの閉じる動きの間、それとの係合状態に至らされ得、故に、ローディングテーブル７はその設置位置へ押しやられ、そこで、前記ローディングテーブル７上に位置付けられた記憶媒体４は、ディスクドライブのモーター（図５、６の３）の上に置かれる。カム１０の配置およびその２つの位置は、図３および４に図示されている。
【００１６】
図３は、装着位置においての、カム１０を備えたローディングテーブル７を示す。ローディングテーブル７はカム１０の範囲までだけ延在し、円形のカットアウト１１を有することが、また分かることができる。このカットアウトの領域において、ディスクドライブのモーター（図５、６の３）は、記憶媒体用の保持面（図５、６の１２）を備えて位置付けられる。ローディングテーブル７は、設置位置（図４）へ押されるとき、保持面（図５、６の１２）の高さレベルより若干下に押され、故に、実のところ、記憶媒体４は、保持面１２上に受け止められ、後者の上に載せられ、ディスクドライブのモーター３の永久磁石の磁場によって後者の上に保持され、作動中にローディングテーブルにこすれることができない。
【００１７】
図５および６に、Ｖ−Ｖ断面（図２）における、装着位置および設置位置が、図示されている。図５は、記憶媒体４がローディングテーブル上に置かれた状態で、装着位置においてカム１０と共にわずかに斜めに配置されたローディングテーブル７と、モーター３に対するそれらの配置と、そしてまた記憶媒体４に対するスキャンニングデバイス５の配置とを示す。記憶媒体４が、保持面１２上に突出した主軸１４の上に心出し開口部１３を備えて配置されているところが見られ得る。スキャンニングデバイス５は、ローディングテーブル７から離れた方へ向くディスクドライブのモーター３の側部に配置され、記憶媒体４の光学式スキャンニング用に集束レンズ１５を提供される。図６は、保持面１２上に置かれた記憶媒体４を示し、心出し主軸１４は心出し開口部１３を通して突出し、かつ、定められたように記憶媒体４を位置決める。スライディングカバー２によって下方に押されたカム１０を見ることがまた可能である。
【００１８】
記憶媒体４が取り替えられる場合、ＰＣＭＣＩＡハウジング１が、スライディングカバー２を後ろに押し進めることによって開かれる。開口運動の終わりに（図２）、前記スライディングカバー２はカム１０との係合を解除し、この係合はスライディング面のために連続的に解放されるので、故に、らせん状トーションバネ９によって負荷をかけられる結果として、ローディングテーブル７は設置位置から装着位置へ押し進められる。その過程で、記憶媒体４は、ローディングテーブル７によって保持され、徐々に保持面１２から優しく解放される。装着位置において、記憶媒体４は、ローディングテーブル７から取り上げられる。
【００１９】
図７は、ローディング機構の第２実施形態を示す。これは、既に説明されたものと、ローディングテーブル１６がベアリングシャフトの側部かつその２つの隣接する側縁部に記憶媒体４用の鉤状保持要素１７を備えて設けられた点で相違する。しかして、この実施形態は、記憶媒体４に、保持要素１７とローディングテーブル１６の設置面との間に押し込まれることを許容するので、故に、ローディングは縦のハウジング位置でさえ可能にされる。
【００２０】
さらなる設計改良型は、その形状において、保護ハウジング（カートリッジ）に置かれた記憶媒体４を保持するように設計されたローディングテーブルを提供する。この場合、保持要素１７の構成は、図７に類似するように保護ハウジングの形状に適合される。保護ハウジングが保持要素１７へ押され、外側縁部でのみ固定される場合、ローディングテーブルは、いずれの支持面もなしに、すなわち二股の形に設計され得、これは全スペースが結果的に減少され得ることを意味する。
【図面の簡単な説明】
【００２１】
【図１】図１は、閉じられた、ＰＣＭＣＩＡハウジングを示す。
【図２】図２は、装着位置において、３０ｍｍの記憶媒体（コインサイズのディスク）を備えた開状態でのそれを示す。
【図３】図３は、装着位置において、配置されたランプを備えたローディングテーブルの詳細を示す、拡大図である。
【図４】図４は、スライディングカバーが部分的に押されて閉じられて、ローディングテーブルが下げられた状態での、この詳細を示す、拡大図である。
【図５】図５は、装着位置においてのローディングテーブルと記憶媒体とを備えたＰＣＭＣＩＡハウジングを通るＶ−Ｖ断面を示す。
【図６】図６は、設置位置においてのローディングテーブルと記憶媒体とを備えたこの断面を示す。
【図７】図７は、ローディング機構のさらなる実施形態を示す。
【符号の説明】
【００２２】
１  ハウジング
２  スライディングカバー
３  ディスクドライブのモーター
４  記憶媒体
５  スキャンニングデバイス
６  駆動ウォーム
７  ローディングテーブル
８  ベアリングシャフト
９  らせん状トーションバネ
１０  カム
１１  カットアウト
１２  保持面
１３  心出し開口部
１４  心出し主軸
１５  集束レンズ
１６  ローディングテーブル
１７  保持要素
【図１】
2008541322.tif 000003
【図２】
2008541322.tif 000004
【図３】
2008541322.tif 000005
【図４】
2008541322.tif 000006
【図５】
2008541322.tif 000007
【図６】
2008541322.tif 000008
【図７】
2008541322.tif 000009
【国際調査報告】
2008541322.tif 000010
2008541322.tif 000011
2008541322.tif 000012